(57)【要約】【課題】一般のユーザーが歩度調整を行うことができる、電子時計等を提供すること。【解決手段】電子時計１は、ユーザーの操作を受け付ける操作部１０と、操作部１０が受け付けた操作に基づく情報を記憶する揮発性の記憶部２０と、操作部１０が受け付けた操作に基づく情報を記憶部２０に書き込む入力制御部１００と、記憶部２０に記憶された情報に基づいて、歩度調整を行う歩度調整部３０と、を含む。操作部１０は、ボタン及び竜頭の少なくとも一方であってもよい。【選択図】図２
2016050805.tif 000002
【特許請求の範囲】
【請求項１】
ユーザーの操作を受け付ける操作部と、
前記操作に基づく情報を記憶する揮発性の記憶部と、
前記操作に基づく情報を前記記憶部に書き込む入力制御部と、
前記情報に基づいて、歩度調整を行う歩度調整部と、
を含み、
前記歩度調整部は、論理緩急によって歩度調整を行う、電子時計。
【請求項２】
請求項１に記載の電子時計において、
前記操作部は、複数の操作手段を有し、
前記入力制御部は前記複数の操作手段の状態を検出する検出部を含み、
前記記憶部は、前記検出部による検出結果を記憶する、電子時計。
【請求項３】
請求項１又は２に記載の電子時計において、
前記歩度調整部は、容量緩急によって歩度調整を行う、電子時計。
【請求項４】
請求項１ないし３のいずれか１項に記載の電子時計において、
前記操作手段は、ボタン及び竜頭の少なくとも一方である、電子時計。
【発明の詳細な説明】
【技術分野】
【０００１】
本発明は、電子時計に関する。
【背景技術】
【０００２】
電子時計においては、その精度を高めるために、発振回路をアナログ的に調整したり、出荷段階や販売店等でコンプリート段階での歩度調整を行ったりしている。
【０００３】
特許文献１には、コンプリート段階での歩度調整を販売店等で行うための高精度時計が開示されている。
【先行技術文献】
【特許文献】
【０００４】
【特許文献１】特開２０００−１３７０８５号公報
【発明の概要】
【発明が解決しようとする課題】
【０００５】
特許文献１の高精度時計では、コンプリート段階での歩度調整は、検査出荷段階もしくは販売店等で行うことが前提とされており、高度な調整装置や高度な操作手法を要する構成となっている。したがって、一般のユーザーが歩度調整を行うことはできなかった。
【０００６】
また、ユーザーの使用環境（例えば、温度環境）によって、時計の進み方や遅れ方が異なるので、ユーザー自らの環境における長期的な進みや遅れを調整する必要があった。
【０００７】
本発明は、以上のような問題点に鑑みてなされたものであり、本発明のいくつかの態様によれば、一般のユーザーが歩度調整を行うことができる、電子時計等を提供することができる。
【課題を解決するための手段】
【０００８】
本発明は前述の課題の少なくとも一部を解決するためになされたものであり、以下の態様又は適用例として実現することが可能である。
【０００９】
［適用例１］
本適用例に係る電子時計は、ユーザーの操作を受け付ける操作部と、前記操作に基づく情報を記憶する揮発性の記憶部と、前記操作に基づく情報を前記記憶部に書き込む入力制御部と、前記情報に基づいて、歩度調整を行う歩度調整部と、を含み、前記歩度調整部は、論理緩急によって歩度調整を行う、電子時計である。
【００１０】
本適用例によれば、ユーザーの操作に基づいて歩度調整を行うので、一般のユーザーが歩度調整を行うことができる電子時計を実現できる。
【００１１】
また、電子時計は、電源を切らないのが通常の使い方なので、揮発性の記憶部を採用することによって、不揮発性の記憶部を採用することに比べて、安価な製造プロセスで製造することができる。
また、論理緩急では、クロック源となる発振回路を調整する必要がないので、容量緩急に比べて発振回路の動作電圧などの最適化が容易であるので、発振回路の消費電力を抑制できる。
【００１２】
［適用例２］
上述の電子時計において、前記操作部は、複数の操作手段を有し、
前記入力制御部は前記複数の操作手段の状態を検出する検出部を含み、
前記記憶部は、前記検出部による検出結果を記憶してもよい。
【００１３】
これによって、ユーザーが簡易な操作で歩度調整を行うことができる。
【００１４】
［適用例３］
上述の電子時計において、前記歩度調整部は、容量緩急によって歩度調整を行ってもよい。
【００１５】
これによって、論理緩急に比べて自然な進み方の時刻表示が可能となる。
【００１６】
［適用例４］
上述の電子時計において、前記操作部は、ボタン及び竜頭の少なくとも一方であってもよい。
【００１７】
これによって、ユーザーが簡易な操作で歩度調整を行うことができる。
【図面の簡単な説明】
【００１８】
【図１】第１実施形態の電子時計１の概略平面図である。
【図２】第１実施形態の電子時計１の機能ブロック図である。
【図３】電子時計１の歩度調整方法の概要を示すフローチャートである。
【図４】発振回路２００の温度特性を示すグラフである。
【図５】第２実施形態の電子時計１ａの機能ブロック図である。
【図６】発振回路２００ａの構成例を示す回路図である。
【発明を実施するための形態】
【００１９】
以下、本発明の好適な実施形態について図面を用いて詳細に説明する。用いる図面は説明の便宜上のものである。なお、以下に説明する実施形態は、特許請求の範囲に記載された本発明の内容を不当に限定するものではない。また以下で説明される構成の全てが本発明の必須構成要件であるとは限らない。
【００２０】
１．第１実施形態
図１は、第１実施形態の電子時計（腕時計）１の概略平面図である。図２は、第１実施形態の電子時計１の機能ブロック図である。
【００２１】
本実施形態に係る電子時計１は、ユーザーの操作を受け付ける操作部１０と、操作部１０が受け付けた操作に基づく情報を記憶する揮発性の記憶部２０と、操作部１０が受け付けた操作に基づく情報を記憶部２０に書き込む入力制御部１００と、記憶部２０に記憶された情報に基づいて、歩度調整を行う歩度調整部３０と、を含む。
【００２２】
図１に示されるように、本実施形態の電子時計１は、文字板１１及び指針１２を備えている。文字板１１の一部に形成された開口部にディスプレイ１３が組み込まれている。ディスプレイ１３は、ＬＣＤ（Liquid Crystal Display）表示パネル等で構成され、各種のメッセージ情報を表示する。指針１２は、秒針、分針、時針等により構成されており、歯車を介してステップモータで駆動される。電子時計１は、使用者の操作を受け付ける操作部１０として、複数の操作手段である竜頭１４やＡボタン１５、Ｂボタン１６を有している。
【００２３】
図２に示されるように、本実施形態の電子時計１は、発振回路２００、振動子２１０、分周部２２０、表示制御部２３０、入力制御部１００を備えている。
【００２４】
発振回路２００と振動子２１０は、計時の基準となるクロック信号を生成して分周部２２０に出力する。振動子２１０としては、水晶振動子やＭＥＭＳ（Micro Electro Mechanical Systems）振動子など、種々の公知の振動子を採用できる。
【００２５】
分周部２２０は、クロック信号を分周した分周信号を表示制御部２３０に出力する。表示制御部２３０は、分周信号に基づいて、指針１２を制御する。
【００２６】
入力制御部１００は、操作部１０の操作の状態を検出して、操作に対応する情報を記憶部２０に書き込む。図２に示される例では、入力制御部１００は、複数の操作手段（竜頭１４、Ａボタン１５及びＢボタン１６）の状態をそれぞれ検出する竜頭検出部１１０、Ａボタン検出部１２０及びＢボタン検出部１３０を備えている。竜頭検出部１１０は、竜頭１４の操作の状態を検出する。Ａボタン検出部１２０は、Ａボタン１５の操作の状態を検出する。Ｂボタン検出部１３０は、Ｂボタン１６の操作の状態を検出する。
【００２７】
記憶部２０は、操作部１０が受け付けた操作に基づく情報を記憶する。本実施形態においては、記憶部２０は、竜頭検出部１１０、Ａボタン検出部１２０及びＢボタン検出部１３０の検出結果を記憶する。記憶部２０は、ラッチ回路やＳＲＡＭ（Static Random Access Memory）など、揮発性メモリーで構成されている。
【００２８】
歩度調整部３０は、記憶部２０に記憶された情報に基づいて、歩度調整を行う。本実施形態においては、歩度調整部３０は、論理緩急によって歩度調整を行う。論理緩急は、分周部２２０の一部でパルスを加減して補正を行う歩度調整方法である。例えば、クロック信号の３２７６８パルスで１秒の時間信号を生成するところを、３２７６７パルスで１秒の時間信号を生成することによって、１秒の時間信号が生成される周期を短くすることができる。
【００２９】
図３は、本実施形態の電子時計１の歩度調整方法の概要を示すフローチャートである。
【００３０】
まず、電子時計１は、ユーザーからの操作を受け付ける（ステップＳ１００）。本実施形態においては、操作部１０の竜頭１４、Ａボタン１５及びＢボタン１６がユーザーからの操作を受け付ける。
【００３１】
次に、電子時計１は、ステップＳ１００で受け付けた操作に対応する情報を記憶する（ステップＳ１０２）。本実施形態においては、入力制御部１００が操作に対応する情報を記憶部２０に記憶させる。操作と情報との対応については、例えば、Ａボタン１５が押されてから竜頭１４を１目盛り分回されると１歩度進み、２目盛り分回されると２歩度進むとしてもよい。また例えば、Ｂボタン１６が押されてから竜頭１４を１目盛り分回されると１歩度遅れ、２目盛り分回されると２歩度遅れるとしてもよい。
【００３２】
次に、電子時計１は、記憶された情報に基づいて歩度調整を行う（ステップＳ１０４）。本実施形態においては、歩度調整部３０が分周部２２０を制御することによって、論理緩急による歩度調整を行う。
【００３３】
図４は、発振回路２００の温度特性を示すグラフである。図４の横軸は温度、縦軸はクロック信号の周波数偏差を表す。
【００３４】
図４に示されるように、発振回路２００及び振動子２１０から出力されるクロック信号の周波数には、温度依存性がある。このため、また、ユーザーの使用環境（温度環境）によって、時計の進み方や遅れ方が異なるので、ユーザー自らの環境における長期的な進みや遅れを調整する必要がある。
【００３５】
本実施形態によれば、ユーザーの操作に基づいて歩度調整を行うので、一般のユーザーが歩度調整を行うことができる電子時計１を実現できる。
【００３６】
また、電子時計１は、電源を切らないのが通常の使い方なので、揮発性の記憶部２０を採用することによって、不揮発性の記憶部を採用することに比べて、安価な製造プロセスで製造することができる。
【００３７】
また、論理緩急では、クロック源となる発振回路２００を調整する必要がないので、容量緩急に比べて発振回路２００の動作電圧などの最適化が容易であるので、発振回路２００の消費電力を抑制できる。
【００３８】
本実施形態の電子時計１において、操作部１０は、ボタン（Ａボタン１５及びＢボタン１６）及び竜頭１４の少なくとも一方であってもよい。これによって、ユーザーが簡易な操作で歩度調整を行うことができる。
【００３９】
２．第２実施形態
図５は、第２実施形態の電子時計１ａの機能ブロック図である。第１実施形態の電子時計１と同様の構成には同一の符号を付し、詳細な説明を省略する。
【００４０】
本実施形態の電子時計１ａの歩度調整部３０ａは、容量緩急によって歩度調整を行う。容量緩急は、発振回路２００ａの発振周波数を可変させて補正を行う歩度調整方法である。
【００４１】
図６は、発振回路２００ａの構成例を示す回路図である。発振回路２００ａは、反転増幅回路Ｉｎｖ、可変容量Ｃ１及び可変容量Ｃ２を備えている。反転増幅回路Ｉｎｖの入力端子は振動子２１０の第１端子と接続されるとともに、可変容量Ｃ１の第１端子と接続されている。反転増幅回路Ｉｎｖの出力端子は、振動子２１０の第２端子、可変容量Ｃ２の第１端子及び分周部２２０の入力端子と接続されている。可変容量Ｃ１の第２端子と可変容量Ｃ２の第２端子とは、アースを介して接続されている。
【００４２】
歩度調整部３０ａは、可変容量Ｃ１及び可変容量Ｃ２の容量を制御することによって、発振回路２００ａの発振周波数を制御する。
【００４３】
本実施形態によれば、論理緩急に比べて自然な進み方の時刻表示が可能となる。
【００４４】
また、第２実施形態においても第１実施形態と同様の理由によって同様の効果を奏する。
【００４５】
上述した各実施形態及び各変形例は一例であって、これらに限定されるわけではない。例えば、各実施形態及び各変形例を適宜組み合わせることも可能である。
【００４６】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００４７】
１，１ａ…電子時計、１０…操作部、１１…文字板、１２…指針、１３…ディスプレイ、１４…竜頭、１５…Ａボタン、１６…Ｂボタン、２０…記憶部、３０，３０ａ…歩度調整部、１００…入力制御部、１１０…竜頭検出部、１２０…Ａボタン検出部、１３０…Ｂボタン検出部、２００，２００ａ…発振回路、２１０…振動子、２２０…分周部、２３０…表示制御部、Ｃ１，Ｃ２…可変容量、Ｉｎｖ…反転増幅回路
【図１】
2016050805.tif 000003
【図２】
2016050805.tif 000004
【図３】
2016050805.tif 000005
【図４】
2016050805.tif 000006
【図５】
2016050805.tif 000007
【図６】
2016050805.tif 000008